(57)【要約】【課題】  この発明は、原稿中の複数の興味のある部分を、それぞれ別々の記録紙に印刷することが可能となる画像形成装置を提供することを目的とする。【解決手段】  画像形成装置において、１枚の原稿に複数の部分が範囲指定されている場合に、範囲指定されている部分の全てを１枚の記録紙に印刷する第１モードと、範囲指定されている部分それぞれを別々の記録紙に印刷を行う第２モードとを設定するための設定手段、第１モードが設定されたときには、読み取った原稿から範囲指定されている部分を認識し、認識した範囲指定部分の全てを抽出して１枚の記録紙に印刷する手段、ならびに第２モードが設定されたときには、読み取った原稿から範囲指定されている部分を認識し、認識した範囲指定部分を個別に抽出して範囲指定部分毎に別々の記録紙に印刷する手段を備えている。【選択図】  図１
2006128977.tif 000002
【特許請求の範囲】
【請求項１】
原稿画像を読み取り、原稿内における特定色によって範囲指定された部分のみを抽出して複写する機能を備えた画像形成装置において、
１枚の原稿に複数の部分が範囲指定されている場合に、範囲指定されている部分の全てを１枚の記録紙に印刷する第１モードと、範囲指定されている部分それぞれを別々の記録紙に印刷を行う第２モードとを設定するための設定手段、
第１モードが設定されたときには、読み取った原稿から範囲指定されている部分を認識し、認識した範囲指定部分の全てを抽出して１枚の記録紙に印刷する手段、ならびに
第２モードが設定されたときには、読み取った原稿から範囲指定されている部分を認識し、認識した範囲指定部分を個別に抽出して範囲指定部分毎に別々の記録紙に印刷する手段、
を備えていることを特徴とする画像形成装置。
【発明の詳細な説明】
【技術分野】
【０００１】
この発明は、複写機、デジタル複合機等のスキャナ機能を備えた画像形成装置に関する。
【背景技術】
【０００２】
複写機として、原稿内の必要部分のみを特定色の色ペンで囲むことにより範囲指定し、範囲指定された部分のみを複写する機能を備えたものがある（特開２００２−４０８７４号公報参照）。この種の複写機においては、１枚の原稿中に複数の箇所が範囲指定された場合、範囲指定された複数の部分が、１枚の記録紙に印刷される。
【０００３】
原稿中の複数の興味のある部分を抜き出して整理したい場合には、それらの複数の部分を部分毎に別々の記録紙に印刷できれば便利である。
【特許文献１】特開２００２−５７８５５号公報
【特許文献２】特開２００２−４０８７４号公報
【特許文献３】特開平８−２９３０１７号公報
【発明の開示】
【発明が解決しようとする課題】
【０００４】
この発明は、原稿中の複数の興味のある部分を、それぞれ別々の記録紙に印刷することが可能となる画像形成装置を提供することを目的とする。
【課題を解決するための手段】
【０００５】
請求項１に記載の発明は、原稿画像を読み取り、原稿内における特定色によって範囲指定された部分のみを抽出して複写する機能を備えた画像形成装置において、１枚の原稿に複数の部分が範囲指定されている場合に、範囲指定されている部分の全てを１枚の記録紙に印刷する第１モードと、範囲指定されている部分それぞれを別々の記録紙に印刷を行う第２モードとを設定するための設定手段、第１モードが設定されたときには、読み取った原稿から範囲指定されている部分を認識し、認識した範囲指定部分の全てを抽出して１枚の記録紙に印刷する手段、ならびに第２モードが設定されたときには、読み取った原稿から範囲指定されている部分を認識し、認識した範囲指定部分を個別に抽出して範囲指定部分毎に別々の記録紙に印刷する手段を備えていることを特徴とする。
【発明の効果】
【０００６】
この発明によれば、原稿中の複数の興味のある部分を、それぞれ別々の記録紙に印刷することが可能となる。
【発明を実施するための最良の形態】
【０００７】
以下、図面を参照して、この発明を複写機に適用した場合の実施例について説明する。
【実施例１】
【０００８】
図１は、デジタル複写機の概略構成を示している。
【０００９】
デジタル複写機は、スキャナ部１０と、画像処理部を含む制御部２０と、ハードディスク（ＨＤＤ）３０と、画像形成部４０と、ユーザ操作部５０とを備えている。スキャナ部１０は、原稿送り装置（ＤＦ）１１と、スキャナ１２と、画像読み取りＣＣＤ１３とを備えている。制御部２０は、ＣＰＵ、ＲＯＭ、ＲＡＭ等を備えている。
【００１０】
画像形成部４０は、レーザスキヤンユニット（ＬＳＵ）４１と、感光体ドラム等を含む静電複写機構とを備えている。ユーザ操作部５０は、テンキー、スタートボタン、割り込ボタン等の各種キーを含むキー入力部５１と、液晶表示部５２と、ＬＥＤ表示部５３とを備えている。
【００１１】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体上に静電潜像パターンを形成する。
【００１２】
この複写機は、ＨＤＤ３０に格納された画像データのうち、原稿に特定の色で囲まれた部分（範囲指定された部分）のみの画像データを抽出して、印刷させる機能を備えている。原稿に特定の色で囲まれた部分のみの画像データを抽出するための処理は、制御部２０によって行われる。なお、このような抽出処理は、特開２００２−４０８７４号公報に開示されているように周知であるので、その説明を省略する。このような複写モードを切り抜き複写モードということにする。切り抜き複写モードにおいては、１枚の原稿に複数の部分が範囲指定されている場合に、範囲指定されている部分の全てを１枚の記録紙に印刷する第１モードと、範囲指定されている部分それぞれを別々の記録紙に印刷を行う第２モードとがある。
【００１３】
図２は、切り抜き複写モード時の複写機の動作を示している。
【００１４】
ユーザによって切り抜き複写モードが設定されると（ステップＳ１）、第１モード（１枚の原稿に複数の部分が範囲指定されている場合に、範囲指定されている部分の全てを１枚の記録紙に印刷するモード）と、第２モード（範囲指定されている部分それぞれを別々の記録紙に印刷を行うモード）とをユーザに選択させるための選択画面を表示する（ステップＳ２）。
【００１５】
デフォルトは、第１モードが選択されており、フラグＦがリセットされている。ユーザが第２モードを選択した場合には（ステップＳ３でＹＥＳ）、フラグＦをセット（Ｆ＝１）した後（ステップＳ４）、ステップＳ６に進む。ユーザが第１モードを選択した場合には（ステップＳ３でＮＯ）、フラグＦをリセット（Ｆ＝０）した後（ステップＳ５）、ステップＳ６に進む。
【００１６】
ステップＳ６では、スタートボタンが押されたか否かを判別する。スタートボタンが押されていない場合には、ステップＳ３に戻る。スタートボタンが押されると、原稿の読み取りを行う（ステップＳ７）。原稿にはユーザが印刷したい部分が特定の色で囲まれることによって、印刷したい部分の範囲指定が行われている。
【００１７】
次に、読み取られた画像から、範囲指定された部分を認識する（ステップＳ８）。そして、フラグＦがセットされていない場合（Ｆ＝０）には（ステップＳ９でＮＯ）、範囲指定された部分の全てを抽出して１枚の記録紙に印刷する（ステップＳ１０）。
【００１８】
ステップＳ９において、フラグＦがセットされていると判別した場合には（ステップＳ９でＹＥＳ）、範囲指定された部分を個別に抽出して、範囲指定された部分毎に別々の記録紙に印刷を行う（ステップＳ１１）。つまり、範囲指定された部分毎に印刷処理を行う。
【図面の簡単な説明】
【００１９】
【図１】デジタル複写機の概略構成を示すブロック図である。
【図２】切り抜き複写モード時の複写機の動作を示すフローチャートである。
【符号の説明】
【００２０】
１０  スキャナ部
２０  制御部
３０  ハードディスク（ＨＤＤ）
４０  画像形成部
５０  ユーザ操作部
【図１】
2006128977.tif 000003
【図２】
2006128977.tif 000004